(57)【要約】【課題】  画材の出し入れが容易で、小物の取り出しも容易で、洗濯にも手間がかからず、さらには特定の画材のみを容易に持ち運ぶことができる、画材バッグを提供する。【解決手段】画材バッグ１において、取り外し可能な小物入れ８が内側壁７に取り付けられている。【選択図】          図３
0003102752.tif 000002
【実用新案登録請求の範囲】
【請求項１】
取り外し可能な小物入れが内側壁に取り付けられていることを特徴とする画材バッグ。
【請求項２】
前記小物入れは、マジックテープ（登録商標）またはホックにより前記内側壁に取り付けられることを特徴とする請求項１に記載の画材バッグ。
【請求項３】
前記小物入れは、透明またはメッシュの袋であることを特徴とする請求項１に記載の画材バッグ。
【考案の詳細な説明】
【技術分野】
【０００１】
本考案は、筆・絵の具・筆洗バケツなどの画材を収納する画材バッグに関し、特に、小学生や中学生向けの画材バッグに関する。
【背景技術】
【０００２】
小学生や中学生向けの画材バッグは、筆洗バケツや絵の具や筆などのすべての画材を収納する形状のものが多い。そこで、従来、汚れた画材を汚れていない画材と別個に収納することができる、画材バッグの内側壁にポケットを備える形状の画材バッグが提案された。
【考案の開示】
【考案が解決しようとする課題】
【０００３】
しかしながら、この従来の画材バッグでは、画材バッグから画材（特に、筆洗バケツ）を取り出す際や画材バッグに画材を収納する際に、画材が内側壁のポケットに引っ掛かってしまうため、画材の出し入れが容易でないという問題があった。また、この従来の画材バッグでは、内側壁のポケットに多くの小物を入れた場合、所望の小物の取り出しが困難になるという問題もあった。また、この従来の画材バッグでは、内側壁のポケットの汚れがひどくなった場合、画材バッグ全体を洗濯しなければならず、容易に洗濯できないという問題もあった。さらには、この従来の画材バッグでは、特定の画材のみが必要な場合でも、画材バッグごと持ち運ばなければならないという問題もあった。
【０００４】
そこで、かかる事情に鑑み、本考案は、画材の出し入れが容易で、小物の取り出しも容易で、洗濯にも手間がかからず、さらには特定の画材のみを容易に持ち運ぶことができる、画材バッグを提供することを目的とする。
【課題を解決するための手段】
【０００５】
本考案によれば、上記課題は、次の手段によって、解決される。
【０００６】
第１の考案は、取り外し可能な小物入れが内側壁に取り付けられていることを特徴とする画材バッグである。
【０００７】
第２の考案は、前記小物入れは、マジックテープ（登録商標）またはホックにより前記内側壁に取り付けられることを特徴とする第１の考案に係る画材バッグである。
【０００８】
第３の考案は、前記小物入れは、透明またはメッシュの袋であることを特徴とする第１の考案に係る画材バッグである。
【考案の効果】
【０００９】
本考案に係る画材バッグによれば、画材の出し入れが容易になり、小物の取り出しも容易になり、洗濯の手間もかからず、特定の画材のみを容易に持ち運ぶことができる。
【考案を実施するための最良の形態】
【００１０】
以下に、添付した図面を参照しつつ、本考案を実施するための最良の形態を詳細に説明する。
【００１１】
図１は、本考案の実施の形態に係る画材バッグの斜視図である。図１に示すように、本考案の実施の形態に係る画材バッグ１の外側壁２には、把手３が縫い付けられている。また、この外側壁３には、ベルト４が取り外し可能に取り付けられている。画材バッグ１の開口部５にはファスナー６が縫い付けられており、画材バッグ１への画材の出し入れは、このファスナー６を開閉することによって行われる。
【００１２】
図２は、本考案の実施の形態に係る画材バッグの開口部を開いた様子を斜め上から見た図である。図２に示すように、画材バッグ１の内側壁７には小物入れ８が取り付けられている。
【００１３】
図３は本考案の実施の形態に係る画材バッグから小物入れを取り外した様子を示す図であり、図４は本考案の実施の形態に係る小物入れの側面図である。
図３に示すように、画材バッグ１の内側壁７には雌型のホック９が取り付けられている。また、図４に示すように、小物入れ８には雄型のホック１０が取り付けられている。これにより、本考案の実施の形態に係る画材バッグ１においては、小物入れ８を、内側壁７に取り付けたり、内側壁７から取り外したりできるようになる。なお、小物入れ８を画材バッグ１から取り外しておけば、筆洗バケツや絵の具や筆などの画材を画材バッグ１に出し入れすることがさらに容易になる。
【００１４】
また、本考案の実施の形態においては、画材バッグ１から取り外されて手元にある小物入れ８から、小物を取り出すことができる。したがって、本考案の実施の形態に係る画材バッグ１によれば、小物入れ８から所望の小物を容易に取り出すことができる。
【００１５】
また、本考案の実施の形態に係る画材バッグ１によれば、汚れた絵の具や筆などを収納することによって小物入れ８が汚れても、小物入れ８のみを取り出して、洗濯することができる。したがって、本考案の実施の形態に係る画材バッグ１によれば、画材バッグ１全体を洗濯するという手間を軽減することができる。
【００１６】
また、本考案の実施の形態に係る画材バッグ１によれば、小物入れ８を画材バッグ１から取り外すことができるため、小物入れ８を画材バッグ１とは別に持ち運ぶことができる。したがって、本考案の実施の形態に係る画材バッグ１によれば、小物入れ８だけでも所望の画材を持ち運び得るため、画材バッグ１を常に持ち運ばなくても済むようになる。
【００１７】
なお、本考案の実施の形態においては、小物入れ８をホック９、１０により画材バッグ１の内側壁７に取り付けることとしたが、本考案は、小物入れ８の内側壁７への取り付け手段を限定するものではない。したがって、小物入れ８は、たとえばマジックテープ（登録商標）により内側壁７へ取り付けることもできる。
【００１８】
また、本考案は小物入れ８の材質や形状を限定するものではないが、小物入れ８を透明またはメッシュの袋にすれば、小物入れ８に収納している小物を外部から視覚的に確認できるため、より小物を取り出しやすくなる。また、小物入れ８に防水性を施しておけば、小物入れが汚れにくくなるため、洗濯が容易になる。また、小物入れ８に把手を取り付けたり、小物入れ８の口の部分をファスナーにすれば、中の物が落ちないようにできるので、持ち運びがより容易になる。
【図面の簡単な説明】
【００１９】
【図１】本考案の実施の形態に係る画材バッグの斜視図である。
【図２】本考案の実施の形態に係る画材バッグの開口部を開いた様子を斜め上から見た図である。
【図３】本考案の実施の形態に係る画材バッグから小物入れを取り外した様子を示す図である。
【図４】本考案の実施の形態に係る小物入れの側面図である。
【符号の説明】
【００２０】
１    画材バッグ
２    外側壁
３    把手
４    ベルト
５    開口部
６    ファスナー
７    内側壁
８    小物入れ
９    雌型のホック
１０    雄型のホック
【図１】
0003102752.tif 000003
【図２】
0003102752.tif 000004
【図３】
0003102752.tif 000005
【図４】
0003102752.tif 000006
【手続補正書】
【提出日】平成16年2月25日(2004.2.25)
【手続補正１】
【補正対象書類名】実用新案登録請求の範囲
【補正対象項目名】請求項２
【補正方法】変更
【補正の内容】
【請求項２】
前記小物入れは、面ファスナーまたはホックにより前記内側壁に取り付けられることを特徴とする請求項１に記載の画材バッグ。
【手続補正２】
【補正対象書類名】明細書
【補正対象項目名】０００７
【補正方法】変更
【補正の内容】
【０００７】
第２の考案は、前記小物入れは、面ファスナーまたはホックにより前記内側壁に取り付けられることを特徴とする第１の考案に係る画材バッグである。
【手続補正３】
【補正対象書類名】明細書
【補正対象項目名】００１７
【補正方法】変更
【補正の内容】
【００１７】
なお、本考案の実施の形態においては、小物入れ８をホック９、１０により画材バッグ１の内側壁７に取り付けることとしたが、本考案は、小物入れ８の内側壁７への取り付け手段を限定するものではない。したがって、小物入れ８は、たとえば面ファスナーにより内側壁７へ取り付けることもできる。